(57)【特許請求の範囲】
【請求項１】
地上波ディジタル、ＢＳ，ＣＳのテレビ番組の視聴とインターネット上のウェブページが閲覧できるスマートテレビを端末としたスマートテレビシステムにおいて、視聴者が該スマートテレビシステムに視聴者登録する機能と、スマートテレビの電源ＯＮ・ＯＦＦ時に該視聴者登録情報と、電源ＯＮ・ＯＦＦの時間情報と、視聴しているテレビチャネル情報を該スマートテレビシステムのサーバーに発信できる機能を備えたスマートテレビと、スマートテレビから受信された視聴者登録情報とテレビチャネル情報をもとに視聴者および視聴されているテレビ番組中のコマーシャル映像を特定する機能と、コマーシャル映像を提供する会社から提供される視聴者へのポイントなどの特典情報を記憶する機能と、特定したコマーシャル映像からコマーシャル提供会社の視聴者へのポイントなどの特典情報を読み出す機能と、該特典情報を視聴者に付与・管理する機能を備えたサーバーを設け、コマーシャル映像を視聴した視聴者にポイントなどの特典を付与できることを特徴とするスマートテレビシステムにおいて、
前記スマートテレビに視聴者が希望するコマーシャル情報を提供する会社を指定できるコマーシャル提供会社指定部と、動画・静止画から成るコマーシャル情報を表示するコマーシャル情報表示部と、視聴者が指定したコマーシャル提供会社の情報をスマートテレビの前記サーバーに送信する機能を設けること、および前記サーバーに希望されたコマーシャル提供会社のコマーシャル情報をスマートテレビに配信する機能と、視聴者が希望した該コマーシャル情報を視聴した時にコマーシャル提供会社からのポイントなどの特典を視聴者に付与・管理する機能を設け、希望したコマーシャル情報を視聴した視聴者にコマーシャル会社から提供されるポイントなどの特典を付与できることを特徴とするスマートテレビシステム。
【請求項２】
前記サーバーに請求項１記載のテレビ番組映像中のコマーシャル映像を視聴した視聴者に付与されたポイントなどの特典と、希望したコマーシャル情報を視聴した視聴者にコマーシャル提供会社から付与されるポイントとなどの特典とを加えて管理する機能を設け、コマーシャル映像およびコマーシャル情報を視聴した視聴者に前記二つのポイントなどの特典を加えて付与・管理できることを特徴とする請求項１記載のスマートテレビシステム。
【発明の詳細な説明】
【技術分野】
【０００１】  本発明は、地上波ディジタル、ＢＳ，ＣＳのテレビ番組映像とインターネット上のウェブページの動画・静止画などの情報がインターネットを介して閲覧できるスマートテレビを端末とするスマートテレビシステムにおいて、テレビ番組中のコマーシャル映像または動画・静止画から成る他のコマーシャル情報を視聴した視聴者にポイントなどの特典が付与できるスマートテレビシステムに関するものである。
【背景技術】
【０００２】  視聴者が地上波ディジタル、ＢＳ，ＣＳ対応のテレビで番組中のコマーシャル映像を視聴したり、テレビ映像とウェブページの動画・静止画などの情報が閲覧できるスマートテレビで番組中のコマーシャル映像を視聴しても視聴者がポイントなどの特典が得られるようなサービスは行われていない。また視聴者が視聴を希望するコマーシャル情報の提供会社を指定できる機能を備えたスマートテレビも存在しない。
【発明の開示】
【発明が解決しようとする課題】
【０００３】  本発明は、地上波ディジタル、ＢＳ，ＣＳのテレビ番組映像とインターネット上のウェブページの動画・静止画などの情報が閲覧できるスマートテレビを端末としたスマートテレビシステムにおいて、テレビ番組中のコマーシャル映像、または視聴者が希望する動画や静止画から成るコマーシャル情報を視聴した場合に、コマーシャル提供会社から視聴者にポイントなどの特典を付与できるシステムを実現することを目的とする。
【課題を解決するための手段】
【０００４】  本発明は上記目的を達成するために、視聴者がスマートテレビシステムに視聴者登録できる機能と、テレビ番組中のコマーシャル映像を視聴した視聴者を認識できる機能と、該コマーシャル映像を視聴した視聴者にポイントなどの特典を付与する機能を備えたサーバーをスマートテレビシステムに設け、コマーシャル映像を視聴した視聴者にポイントなどの特典を付与できるようにする。【０００５】  また、スマートテレビに視聴者が希望するコマーシャル提供会社を指定できる機能を設け、スマートテレビシステムのサーバーに該機能で指定されたコマーシャル提供会社の動画・静止画から成るコマーシャル情報をスマートテレビに送信する機能、および送信した該コマーシャル情報を視聴した視聴者にポイントなどの特典を付与する機能を設け、コマーシャル情報を視聴した視聴者に該コマーシャル情報を提供している会社からポイントなどの特典を付与できるようにする。
【発明の効果】
【０００６】  上述したように本発明のスマートテレビシステムでは、視聴者がコマーシャル映像を視聴した際、および希望するコマーシャル提供会社の動画・静止画などから成るコマーシャル情報を視聴した際に視聴者にポイントなどの特典を付与できるサービスを実現することができる。
【発明を実施するための最良の形態】
【０００７】  以下、本発明の実施例を図１のシステム構成、図２の端末管理情報に基づいて説明する。【０００８】  図１において、１は電波またはケーブルで配信される地上波ディジタル、ＢＳ，ＣＳのテレビ番組およびインターネット上のウェブページの動画・静止画情報の受信・表示機能を備えたスマートテレビ、１１は端末制御部、１１１は電波またはケーブルで配信されるテレビ番組を受信するテレビ番組受信部、１１２は視聴者がリモコンなどを使って入力された視聴者を識別する情報や視聴を希望するコマーシャル提供会社の情報を記憶する視聴者情報記憶部、１１３は該視聴者情報記憶部１１２の情報、スマートテレビの電源ＯＮ・ＯＦＦの時間情報、視聴テレビチャネル情報、入力情報などを収集する情報収集部、１１４はインターネットに接続されスマートテレビのサーバーから動画・静止画情報から成るコマーシャル情報の受信および前記情報収集部１１３で収集した情報をスマートテレビの電源ＯＮ・ＯＦ時、チャネル変更時などに送信する機能のインターネット送受信部、１２はスマートテレビの端末表示部、１２１は番組映像表示部、１２２はコマーシャル提供会社またはコマーシャル情報を表示するコマーシャル情報表示部、１２３はコマーシャル提供会社を表示・指定できる端末機能選択部、１２３ａは番組中のコマーシャル映像に代えて他の希望するコマーシャル提供会社のコマーシャル映像を選択できるアイコン、１２３ｂは番組映像とは異なるコマーシャル情報表示部１２２に希望するコマーシャル提供会社のコマーシャル映像を選択できるアイコン、１２３ｃは付加されたポイントなどの特典の確認・交換などができるアイコン、３はインターネット、４はテレビ番組映像送出管理部、５はスマートテレビ管理用のサーバーであり、５１はインターネットと接続して情報の送受信を行う情報送受信部、５２はスマートテレビから送られてくる視聴者情報を認識してスマートテレビの電源ＯＮ・ＯＦＦ時間、視聴されたコマーシャル映像・情報、付与されたポイントなどの特典情報を記憶・管理する視聴者管理部、５３はコマーシャル映像および動画・静止画から成るコマーシャル情報の識別情報（識別情報としては、放送業界で使われている共通コード管理センター発番の広告事業者を識別する４桁のコード（広告事業者コード）と、広告事業者が独自に発番する６桁のコード（素材コード）から構成された１０桁のＣＭコードが利用できる）およびポイントなどの特典情報を管理するコマーシャル映像・情報管理部、６はウェブサーバー群、６１は＃１ウェブサーバー、６２は＃２ウェブサーバーである。【０００９】  また図２はサーバー５内で管理される表であり、５２１は視聴者識別情報と電源ＯＮ・ＯＦＦ時間とテレビチャネル情報を記憶する番組視聴管理表、５２２は視聴者識別情報毎に視聴されたコマーシャル映像の識別情報と視聴開始・終了時間と該コマーシャル映像を視聴したことによって付加されるポイントなどの特典情報を記憶する視聴済コマーシャル映像管理表、５２３は視聴されたコマーシャル情報の識別情報と視聴開始・終了時間を記憶する視聴者識別情報毎に用意された視聴済コマーシャル情報管理表、５２４は視聴者が指定した視聴希望のコマーシャル提供会社を記憶する希望コマーシャル提供会社管理表、５３１はテレビ番組中のコマーシャル映像の識別情報、コマーシャル映像の表示開始・終了時間、特典情報を記憶したコマーシャル映像管理表、５３２は動画や静止画から成るコマーシャル情報の識別情報、コマーシャル情報の表示開始・終了時間、特典情報を記憶したコマーシャル情報管理表である。【００１０】  本発明の動作をテレビ番組映像中に入るコマーシャル映像を視聴した時にポイントなどの特典を付与する場合と、テレビ番組映像中に入るコマーシャル映像に代えて視聴者が希望した動画・静止画から成るコマーシャル情報を視聴した時にポイントなどの特典を付与する場合と、テレビ番組映像中に入るコマーシャル映像とは別に視聴者が希望した動画・静止画から成るコマーシャル情報を視聴した時にポイントなどの特典を付与する場合と、テレビ番組映像中に入るコマーシャル映像を視聴した時に付与されるポイントなどの特典と視聴者が希望したコマーシャル情報を視聴した時に付与されるポイントなどの特典を加えて付与する場合の四つに分けて説明する。【００１１】  はじめに、テレビ番組映像中に入るコマーシャル映像を視聴した時にポイントなどの特典が付与される場合を説明する。まずテレビ番組映像送信管理部４から電波またはケーブルでテレビ番組が配信され、視聴者によってスマートテレビ１の電源がＯＮされると、端末制御部１１の情報収集部１１３は視聴者情報記憶部１１２に記憶された視聴者識別情報や視聴を希望するコマーシャル提供会社の情報、スマートテレビの電源ＯＮ時間情報、視聴テレビチャネル情報を収集してインターネット送受信部１１４からインターネット３を介してスマートテレビ管理用のサーバー５に送信する。該情報を受信した情報送受信部５１は該電源ＯＮ情報とテレビチャネル情報を視聴者管理部５２で管理される番組視聴管理表５２１の視聴者識別情報（ここでは０００２とする）に該当したところ（番組視聴管理表５２１の３行目）に記憶し、スマートテレビ管理サーバー５は該視聴者識別情報０００２のスマートテレビ１から送られてくる電源ＯＦＦの情報または変更されたチャネル情報の受信待ち状態になると共に他のスマートテレビの処理を行う。【００１２】  その後、コマーシャル映像・情報管理部５３で管理されたコマーシャル映像管理表５３１から得たコマーシャル映像の配信開始から終了時間までの時間内に、サーバー５が該スマートテレビ１から電源ＯＦＦの情報または変更されたテレビチャネル情報を受信しない場合、サーバー５はコマーシャル映像・情報管理部５３で管理されたコマーシャル映像管理表５３１を参照してコマーシャル映像識別情報とコマーシャル提供会社から提供されたポイントなどの特典情報を視聴者管理部５２で管理された番組視聴管理表５２１の視聴者識別情報０００２に接続された視聴済コマーシャル映像管理表５２２（視聴済コマーシャル映像管理表５２２の４行目）に視聴開始・終了時間と特典情報を書き込み、再び電源ＯＦＦの情報または変更されたテレビチャネル情報の受信待ち、および次のコマーシャル映像の開始・終了時間待ち状態になり、その後、該スマートテレビ１から電源ＯＦＦの情報または変更されたテレビチャネル情報を受信されず、コマーシャル映像が視聴されれば、サーバー５は［００１２］から繰り返す。【００１３】  一方、サーバー５がコマーシャル映像の配信開始から終了時間までの時間内に該スマートテレビ１が視聴者によって電源ＯＦＦされると、端末制御部１１の情報収集部１１３は視聴者情報記憶部１１２に記憶された視聴者識別情報、スマートテレビの電源ＯＦＦ時間情報、視聴テレビチャネル情報を収集してインターネット送受信部１１４からインターネット３を介してスマートテレビ管理用のサーバー５に送信し、送信後スマートテレビ１１の電源がＯＦＦされる。該情報を受信したサーバー５は視聴者管理部５２が管理する番組視聴管理表５２１の視聴者識別情報０００２に該当した電源ＯＦＦ情報欄（端末視聴管理表５２１の３行目）に電源ＯＦＦ時間を書き込み、特典付与の処理をすることなくスマートテレビ１からの電源ＯＮの受信待ち状態になる。【００１４】  またコマーシャル映像の配信開始から終了時間までの時間内に視聴者によってチャネルが変更されると端末制御部１１の情報収集部１１３は視聴者情報記憶部１１２に記憶された視聴者識別情報、変更されたテレビチャネル情報を収集してインターネット送受信部１１４からインターネット３を介してスマートテレビ管理用のサーバー５に送信される。変更された該テレビチャネル情報を受信したサーバー５は端末管理部５２が管理する番組視聴管理表５２１の視聴者識別情報０００２に該当したところのテレビチャネル情報部に変更されたテレビチャネル情報を書き込み、特典付与の処理をすることなくスマートテレビ１からの電源ＯＦＦまたは変更されたチャネル情報の受信待ち状態になる。以上がテレビ番組中のコマーシャル映像を視聴した場合の動作説明である。【００１５】  つづいて、テレビ番組中に入るコマーシャル映像に代えて、視聴者が希望したコマーシャル提供会社の動画・静止画から成るコマーシャル情報を番組映像中のコマーシャル情報として視聴した時にポイントなどの特典を付与する場合の動作を説明する。まずテレビ番組映像送信管理部４から電波またはケーブルでテレビ番組が配信され、視聴者がスマートテレビ１の電源をＯＮし、テレビ番組受信部１１１で受信されたテレビ番組が端末表示部１２の番組映像表示部１２１に表示されたとする。それと同時に端末制御部１１の情報収集部１１３は視聴者情報記憶部１１２に記憶された視聴者識別情報や視聴を希望するコマーシャル提供会社の情報、スマートテレビの電源ＯＮ時間情報、視聴テレビチャネル情報を収集してインターネット送受信部１１４からインターネット３を介してサーバー５に送信する。該情報を受信した情報送受信部５１は電源ＯＮ情報とテレビチャネル情報を視聴者管理部５２で管理される番組視聴管理表５２１の視聴者識別情報（ここでは０００３とする）に該当したところ（番組視聴管理表５２１の４行目）に記憶し、サーバー５は該端末識別情報０００３のスマートテレビ１から送られてくる電源ＯＦＦの情報または変更されたチャネル情報の受信待ち状態になると共に他のスマートテレビの処理を行う。【００１６】  その後、視聴者によってスマートテレビ１の端末機能選択部１２３のテレビ番組中ののコマーシャル映像を代えるコマ���シャル提供会社選択用のアイコン１２３ａが押下されると、端末制御部１１の情報収集部１１２は該アイコン１２３ａの情報と端末識別情報を収集し、該情報をインターネット送受信部１１３からインターネット３を介してサーバー５に送信する。該情報を受信したサーバー５はコマーシャル情報管理表５３２を参照してコマーシャル情報を提供している全ての会社情報を表示情報に編集して該視聴者識別情報に該当するスマートテレビ１に情報送受信部５１からインターネット３を介して送信する。該表示情報をインターネット送受信部１１３で受信したスマートテレビ１は該コマーシャルを提供している会社情報をコマーシャル情報表示部１２２に表示する。該会社情報を見た視聴者によって希望するコマーシャル提供会社がスマートテレビのリモコンを操作して選択されると、該希望するコマーシャル提供会社の会社情報（ここでは会社３とする）がインターネット送受信部１１３からインターネット３を介してサーバー５の情報送受信部５１で受信され、該会社情報の会社３は端末管理部５２で管理される希望コマーシャル提供会社管理表５２４の視聴者識別情報０００３に該当した欄（希望コマーシャル提供会社管理表５２４の４行目）に記憶される。【００１７】  これと並行して、サーバー５は視聴者管理部５１が管理する番組視聴管理表５２１と希望コマーシャル提供会社管理表５２４を参照して電源ＯＮで、希望コマーシャル提供会社が記録されている視聴者を探索して該視聴者の端末に対して次の動作を行う。ここで探索された端末の視聴者識別情報を０００３とする。サーバー５は希望コマーシャル提供会社管理表５２４の視聴者識別情報が０００３のところ（希望コマーシャル提供会社管理表５２４の４行目）の希望コマーシャル提供会社（会社３）を参照してコマーシャル映像・情報管理部５３が管理するコマーシャル情報管理表５３２の会社情報が会社３のリンク先情報のウェブサーバー情報（＃１ウェブサーバー）とコマーシャル情報識別情報を読み出し、インターネット３を介してウェブサーバー群６の＃１ウェブサーバー６１に接続してコマーシャル情報識別情報Ｄ００３と、コマーシャル映像管理表５３１を参照して該当するコマーシャル映像の表示開始・終了時間を送信する。コマーシャル情報識別情報Ｄ００３を受信した＃１ウェブサーバー６１はインターネット３を介して該コマーシャル映像の表示開始・終了時間に合致した表示時間情報付きのコマーシャル情報をサーバー５に送信する。該表示時間情報付きの該当するコマーシャル情報を情報送受信部５１で受信したサーバー５は該コマーシャル情報を情報送受信部５１からテレビ番組映像送信管理部４に送る。該テレビ番組映像送信管理部４では番組中のコマーシャル映像に代えた番組映像をスマートテレビ１に送信する。該映像を受信したスマートテレビ１では該コマーシャル情報が情報表示部１２１に表示される。【００１８】  サーバー５は＃１ウェブサーバー６１からコマーシャル情報と共に受信した表示時間情報をもとに時間監視を行い、コマーシャル情報が表示終わるまでの時間内に該スマートテレビ１から電源ＯＦＦの情報を受信しない場合、コマーシャル映像・情報管理部５３で管理されたコマーシャル情報管理表５３２のコマーシャル情報識別情報Ｄ００３に該当するところのポイントなどの特典情報Ｄ３を読み出し、視聴者管理部５２で管理された視聴済コマーシャル情報管理表５２３の視聴者者識別情報０００３に該当したところ（視聴済コマーシャル情報管理表５２３の４行目）に特典情報を書き込み、サーバー５は次のコマーシャル情報の処理に入る。【００１９】  一方、サーバー５が時間監視している＃１ウェブサーバー６１から受信した表示時間情報の時間内に該スマートテレビ１から電源ＯＦＦ情報を受信した場合、サーバー５は視聴者管理部５２が管理する番組視聴管理表５２１の視聴者識別情報０００３に該当したところ（番組視聴管理表５２１の４行目）に電源ＯＦＦ時間を書き込み、特典付与の処理をすることなくスマートテレビ１からの電源ＯＮの受信待ち状態になる。以上がテレビ番組中に入るコマーシャル映像に代えて、視聴者が希望したコマーシャル提供会社の動画・静止画から成るコマーシャル情報を番組映像中のコマーシャル情報として視聴した場合の動作説明である。【００２０】  つづいて、テレビ番組中に入るコマーシャル映像ではなく、視聴者が希望したコマーシャル提供会社の動画・静止画から成るコマーシャル情報を番組中のコマーシャル映像とは別に視聴した時にポイントなどの特典を付与する場合の動作を説明する。まずテレビ番組映像送信管理部４から電波またはケーブルでテレビ番組が配信され、視聴者がスマートテレビ１の電源をＯＮし、テレビ番組受信部１１１で受信されたテレビ番組が端末表示部１２の番組映像表示部１２１に表示されたとする。それと同時に端末制御部１１の情報収集部１１３は視聴者情報記憶部１１２に記憶された視聴者識別情報や視聴を希望するコマーシャル提供会社の情報、スマートテレビの電源ＯＮ時間情報、視聴テレビチャネル情報を収集してインターネット送受信部１１４からインターネット３を介してサーバー５に送信する。該情報を受信した情報送受信部５１は電源ＯＮ情報とテレビチャネル情報を視聴者管理部５２で管理される番組視聴管理表５２１の視聴者識別情報（ここでは０００３とする）に該当したところ（番組視聴管理表５２１の４行目）に記憶し、サーバー５は該視聴者識別情報０００３のスマートテレビ１から送られてくる電源ＯＦＦの情報または変更されたチャネル情報の受信待ち状態になると共に他のスマートテレビの処理を行う。【００２１】  その後、視聴者によってスマートテレビ１の端末機能選択部１２３番組映像とは異なるコマーシャル情報表示部１２２に希望するコマーシャル提供会社のコマーシャル映像を選択できるアイコン１２３ｂが押下されると、端末制御部１１の情報収集部１１２は該アイコン１２３ｂの情報と視聴者識別情報を収集し、該情報をインターネット送受信部１１３からインターネット３を介してサーバー５に送信する。該情報を受信したサーバー５はコマーシャル情報管理表５３２を参照してコマーシャル情報を提供している全ての会社情報を表示情報に編集して該視聴者識別情報に該当するスマートテレビ１に情報送受信部５１からインターネット３を介して送信する。該表示情報をインターネット送受信部１１３で受信したスマートテレビ１は該コマーシャルを提供している会社情報をコマーシャル情報表示部１２２に表示する。該会社情報を見た視聴者によって希望するコマーシャル提供会社がスマートテレビのリモコンを操作して選択されると、該希望するコマーシャル提供会社の会社情報（ここでは会社３とする）がインターネット送受信部１１３からインターネット３を介してサーバー５の情報送受信部５１で受信され、該会社情報の会社３は端末管理部５２で管理される希望コマーシャル提供会社管理表５２４の視聴者識別情報０００３に該当した欄（希望コマーシャル提供会社管理表５２４の４行目）に記憶される。【００２２】  これと並行して、サーバー５は視聴者管理部５１が管理する番組視聴管理表５２１と希望コマーシャル提供会社管理表５２４を参照して電源ＯＮで、希望コマーシャル提供会社が記録されている視聴者を探索して該視聴者の端末に対して次の動作を行う。ここで探索された端末の視聴者識別情報を０００３とする。サーバー５は希望コマーシャル提供会社管理表５２４の視聴者識別情報が０００３のところ（希望コマーシャル提供会社管理表５２４の４行目）の希望コマーシャル提供会社（会社３）を参照してコマーシャル映像・情報管理部５３が管理するコマーシャル情報管理表５３２の会社情報が会社３のリンク先情報のウェブサーバー情報（＃１ウェブサーバー）とコマーシャル情報識別情報を読み出し、インターネット３を介してウェブサーバー群６の＃１ウェブサーバー６１に接続してコマーシャル情報識別情報Ｄ００３を送信する。コマーシャル情報識別情報Ｄ００３を受信した＃１ウェブサーバー６１はインターネット３を介して表示時間情報付きの該当するコマーシャル情報をサーバー５に送信する。該表示時間情報付きの該当するコマーシャル情報を情報送受信部５１で受信したサーバー５は該コマーシャル情報を情報送受信部５１からインターネット３を介してスマートテレビ１に送信する。インターネット送受信部１１３で受信したスマートテレビ１はコマーシャル情報をコマーシャル情報表示部１２２に表示する。【００２３】  サーバー５は＃１ウェブサーバー６１からコマーシャル情報と共に受信した表示時間情報をもとに時間監視を行い、コマーシャル情報が表示終わるまでの時間内に該スマートテレビ１から電源ＯＦＦの情報を受信しない場合、コマーシャル映像・情報管理部５３で管理されたコマーシャル情報管理表５３２のコマーシャル情報識別情報Ｄ００３に該当するところのポイントなどの特典情報Ｄ３を読み出し、視聴者管理部５２で管理された視聴済コマーシャル情報管理表５２３の視聴者者識別情報０００３に該当したところ（視聴済コマーシャル情報管理表５２３の４行目）に特典情報を書き込み、サーバー５は次のコマーシャル情報の処理に入る。【００２４】  一方、サーバー５が時間監視している＃１ウェブサーバー６１から受信した表示時間情報の時間内に該スマートテレビ１から電源ＯＦＦ情報を受信した場合、サーバー５は視聴者管理部５２が管理する番組視聴管理表５２１の視聴者識別情報０００３に該当したところ（番組視聴管理表５２１の４行目）に電源ＯＦＦ時間を書き込み、特典付与の処理をすることなくスマートテレビ１からの電源ＯＮの受信待ち状態になる。以上が番組中のコマーシャル映像とは別に視聴者の希望するコマーシャル情報を視聴した場合の動作説明である。【００２５】  また、テレビ番組映像中に入るコマーシャル映像を視聴した時に付与されるポイントなどの特典と、視聴者が希望した動画・静止画から成るコマーシャル情報を視聴した時に付与されるポイントなどの特典を加えて付与する場合の動作は次のとおりである。【００２６】  サーバー５は、同一の視聴者識別情報のスマートテレビでコマーシャル映像を視聴した時に付与されたポイントなどの特典が記憶された視聴済コマーシャル映像管理表５２２と、視聴者が希望した会社のコマーシャル情報を視聴した時に付与される特典が記憶された視聴済コマーシャル情報管理表５２３のそれぞれの特典を加える処理を行う。このことによってコマーシャル映像を視聴した時に付与されるポイントなどの特典と、コマーシャル情報を視聴した時に付与されるポイントなどの特典が加えられることになる。【００２７】  以上が動作説明である。【００２８】  なお、視聴者がスマートテレビでコマーシャル映像およびコマーシャル情報を視聴した際に付与されたポイントなどの特典を確認しようとする場合には、スマートテレビ１の端末機能選択部１２３のアイコン１２３ｂを押下することによって、サーバー５にインターネット送受信部１１４からインターネット３を介して情報送受信部５１に視聴者識別情報（ここでは０００３とする）と共にアイコン１２３ｂの情報が送られる。該情報を受信したサーバー５は端末制御部５１で管理された番組視聴管理表５２１の視聴者識別情報０００３に該当するところに接続された視聴済コマーシャル映像管理表５２２と視聴済コマーシャル情報管理表５２３を参照して各々の特典情報を表示情報に編集してスマートテレビ１に送出する。スマートテレビ１で受信された該表示情報はコマーシャル情報表示部１２２に表示されることによって、視聴者が付与された特典情報を確認できる。【００２９】  またコマーシャル提供会社を複数希望された場合には、サーバー５に希望コマーシャル提供会社管理表５２４に複数の希望会社情報を記憶させ、コマーシャル情報管理表５３２を参照して［００１７］から［００１９］で説明した動作を繰り返すことによってポイントなどの特典付与処理が実現できる。【００３０】  本実施例では放送業界で使われている共通コード管理センター発番の広告事業者を識別する４桁のコード（広告事業者コード）と、広告事業者が独自に発番する６桁のコード（素材コード）から構成された１０桁のＣＭコードを適用したように説明してこなかったが、本実施例の「コマーシャル映像識別情報」に該ＣＭコードを利用することが可能である。【００３１】  本実施例のようにコマーシャル情報を見ることによりポイントなどの特典を得られるようにすると、人間が見たのではなく、パソコンなどによって見たように騙す操作をすることが考えれる。これに対しては、例えば、一日のポイント付与条件に限度を設けることが考えられる。
【図面の簡単な説明】
【００３２】
【図１】本発明スマートテレビシステムを説明するためのシステム構成例の図
【図２】同スマートテレビシステムのスマートテレビの端末管理情報例の図
【符号の説明】
【００３３】    １  スマートテレビ
１１  端末制御部
１１１  テレビ番組受信部
１１２  視聴者情報記憶部
１１３  情報収集部
１１４  インターネット送受信部
１２  端末表示部
１２１  番組映像表示部
１２２  コマーシャル情報表示部
１２３  端末機能選択部
１２３ａ  アイコン
１２３ｂ  アイコン
１２３ｃ  アイコン
３  インターネット
４  テレビ番組映像送信管理部
５  サーバー
５１  情報送受信部
５２  視聴者管理部
５２１  番組視聴管理表
５２２  視聴済コマーシャル映像管理表
５２３  視聴済コマーシャル情報管理表
５２４  希望コマーシャル提供会社管理表
５３  コマーシャル映像・情報管理部
５３１  コマーシャル映像管理表
５３２  コマーシャル情報管理表
６  ウェブサーバー群
６１  ＃１ウェブサーバー
６２  ＃２ウェブサーバー
【図１】
0005604630.tif 000002
【図２】
0005604630.tif 000003